(57)【特許請求の範囲】
【請求項１】
フード部を有する雄側ハウジングと、
前記フード部に嵌入される雌側ハウジングと、
前記フード部の奥端部においてそのフード部の内周に密着する形態の枠状をなし、前記両ハウジングの周面同士の間をシール可能なシールリングと、
前記フード部に挿入されたリテーナとを備えてなり、
前記シールリングの内周に突成した係止部を、前記雄側ハウジングの支承突部と、前記リテーナの押え部との間で軸方向に挟み、
前記押え部に形成した食い込み突起が、前記係止部の前面に対して前記シールリングの前記フード部からの抜け方向とは逆向きに軸方向に沿って食い込むことによりその係止部の径方向の変位を規制する構成とされていることを特徴とするコネクタ。
【請求項２】
前記係止部には、前記雄側ハウジングの内周と前記リテーナの外周との間で径方向に挟圧される被挟圧片が形成されていることを特徴とする請求項１記載のコネクタ。
【発明の詳細な説明】
【０００１】
【発明の属する技術分野】
本発明は、コネクタに関するものである。
【０００２】
【従来の技術】
従来のコネクタ（実開平３−１２６３７５号）を図６に示す。これは、雄側ハウジングａのフード部ｂ内にシールリングｃを装着し、このシールリングｃに内向きに突成した係止部ｄをフード部ｂの奥端面とリテーナｅとの間で軸方向に挟圧することで、そのシールリングｃを抜止め保持する構造となっている。シールリングｃの内周とリテーナｅの外周との間には筒状の隙間が空いており、ここに雌側ハウジングｆが嵌合されると、シールリングｃにより両ハウジングａ，ｆの周面同士の間がシールされる。
【０００３】
【発明が解決しようとする課題】
上記従来のコネクタでは、シールリングｃの抜止め手段として、単に内向きの係止部ｄをリテーナｅで軸方向に挟んでいるだけなので、両ハウジングａ，ｆを離脱する際に、摩擦によってシールリングｃが強く軸方向に引っ張られると、係止部ｄがフード部ｂの奥端面とリテーナｅとの間から抜け出しつつシールリングｃが抜け方向へずれる虞がある。
本願発明は上記事情に鑑みて創案され、シールリングの抜け方向への変位を確実に規制することを目的としている。
【０００４】
【課題を解決するための手段】
請求項１の発明は、フード部を有する雄側ハウジングと、前記フード部に嵌入される雌側ハウジングと、前記フード部の奥端部においてそのフード部の内周に密着する形態の枠状をなし、前記両ハウジングの周面同士の間をシール可能なシールリングと、前記フード部に挿入されたリテーナとを備えてなり、前記シールリングの内周に突成した係止部を、前記雄側ハウジングの支承突部と、前記リテーナの押え部との間で軸方向に挟み、前記押え部に形成した食い込み突起が、前記係止部の前面に対して前記シールリングの前記フード部からの抜け方向とは逆向きに軸方向に沿って食い込む構成とした。
【０００５】
請求項２の発明は、前記係止部には、前記雄側ハウジングの内周と前記リテーナの外周との間で径方向に挟圧される被挟圧片が形成されている構成とした。
【０００７】
【発明の作用及び効果】
＜請求項１の発明＞
シールリングが軸方向の引張り力を受けた場合、その引張り力は係止部に対して径方向の引張り力として作用するが、係止部の径方向のずれは食い込み片の食い込み作用によって規制されている。これにより、シールリングの抜け方向のずれを確実に防止することができる。
＜請求項２の発明＞
シールリングが軸方向の引張り力を受けた場合、その引張り力は係止部に対して径方向の引張り力として作用するが、係止部の径方向のずれは被挟圧片の引っ掛かり作用によって規制されている。これにより、シールリングの抜け方向のずれを防止することができる。
【０００９】
【発明の実施の形態】
＜実施形態１＞
以下、本発明を具体化した実施形態１を図１乃至図５を参照して説明する。
本実施形態のコネクタは、互いに嵌合・離脱を可能された雄雌一対のハウジング１０，２０からなる。雌側ハウジング１０内には図示しない雌端子金具が挿入され、その雌端子金具に固着した電線１１が雌側ハウジング１０の後端面から延出されている。雌側ハウジング１０は全体として概ねサイコロ形をなし、上面には雄側ハウジング１０のロック用突起２４と係合するロックアーム１２が形成されている。
【００１０】
雄側ハウジング２０は、雄端子金具２１が後方から挿入される複数のキャビティ２２を有し、そのキャビティ２２の前方には角筒状のフード部２３が突成されている。このフード部２３には雌側ハウジング１０が嵌入され、フード部２３の天井面のロック用突起２４と雌側ハウジング１０のロックアーム１２が係合することにより、両ハウジング１０，２０が嵌合状態にロックされる。
このフード部２３の奥端部には、両ハウジング１０，２０の嵌合部分の隙間をシールするためのシールリング２５がその外周面をフード部２３の内周面に密着させる形態で装着されている。このシールリング２５は角形の枠状をなし、その概ね直線状をなす４辺のうちの対応する２辺には、その前端縁から外向きに突出する一対のリブ２６が形成されている。このリブ２６は、フード部２３に形成したスリット状の係止孔２７に係合され、もってシールリング２５がフード部２３に対して遊動規制状態（抜止め状態）とされている（図３を参照）。
【００１１】
シールリング２５の内周には、軸方向（両ハウジング１０，２０の嵌合・離脱方向）に間隔を空けた２条のリップ部２８が全周に亘って形成されている。また、シールリング２５の外周には、２条の水切り溝２９がリップ部２８と同様に軸方向に間隔を空けて形成されている。
シールリング２５の４辺のうちリブ２６の形成されていない２辺の後端部には、「ｈ字形」をなす係止部３０が突成されている。この係止部３０は、シールリング２５の後端縁から一旦面一状に後方（図４及び図５の右方）へ延出して内周側（図５における上側）へ屈曲した「Ｌ字形」をなす受け部３０Ａと、この受け部３０Ａの突出端から後方へ突出する被挟圧片３０Ｂと、受け部３０Ａの基端から後方へ突出する分岐突片３０Ｃとからなる。
このシールリング２５が上記リブ２６によって所定位置に位置決めされた状態では、分岐突片３０Ｃが雄側ハウジング２０に形成した逃がし凹部３１に嵌合され、受け部３０Ａに対しては雌側ハウジング１０に形成した支承突部３２が後方から当接され、被挟圧片３０Ｂは、雄側ハウジング２０に形成したり取り付け凹部３３の内周面に当接されている。
【００１２】
かかるシールリング２５は、上記したリブ２６だけでなくリテーナ３４によっても抜止めが図られている。リテーナ３４は、雄端子金具２１のタブ２１Ａが貫通する貫通孔３５と、後方へ突出する筒状部３６とを有する。リテーナ３４は、フード部２３内に後ろ向きに挿入され、筒状部３６を取り付け凹部３３に嵌合した状態で取り付けられる。取り付けたリテーナ３４は、その側面の弾性係止片３７を取り付け凹部３３に形成した図示しない抜止突起に係合させることで、抜止め保持される。
【００１３】
かかるリテーナ３４の外面には、シールリング２５の係止部３０と対応する一対の押え部３８が形成されている。リテーナ３４の取り付け状態において、押え部３８は係止部３０の受け部３０Ａに対して前方から当接し、この押え部３８と雄側ハウジング２０の支承突部３２との間で受け部３０Ａが軸方向に弾性的に挟まれるようになっている。この押え部３８の後面（受け部３０Ａとの対応面）には、三角山形をなして周方向（図５の紙面と直交する方向）に延びる食い込み片３８Ａが突成されている。この食い込み片３８Ａは、リテーナ３４を取り付けた状態において受け部３０Ａの前面に対して食い込むように係合し、この食い込み作用により、受け部３０Ａの径方向外側（図５における下側）への変位が規制されるようになっている。
また、リテーナ３４を取り付けた状態において、被挟圧片３０Ｂは、取り付け凹部３３の内周とリテーナ３４の筒状部３６の外周との間で径方向に弾性的に挟み付けられるようになっている（図５を参照）。
【００１４】
次に、本実施形態の作用について説明する。
雌側ハウジング１０を雄側ハウジング２０のフード部２３に嵌合すると、シールリング２５はフード部２３の内周と雌側ハウジング１０の外周との間で挟圧され、もって両ハウジング１０，２０の嵌合部分の隙間からの浸水が防止される。また、係止孔２７とリブ２６との隙間からフード部２３内に水が浸入し、その水がフード部２３の内周に沿ってリブ２６側からフード部２３の奥側へ進んでも、水切り溝２９における水切り作用によりそれ以上の浸水が阻止される。
【００１５】
さて、雌側ハウジング１０をフード部２３から抜き取るときには、雌側ハウジング１０の外周との摩擦によってシールリング２５に抜け方向（図５における左方向）への引張り力が作用するが、この引張力は係止部３０にも及び、係止部３０は、支承突部３２と押え部３８との間から径方向外側へ引き抜かれるような力を受けることになる。
しかし、受け部３０Ａには食い込み片３８Ａが食い込んでいるため、係止部３０の径方向外側への変位が規制されている。これにより、シールリング２５の抜け方向（軸方向）の変位を防止する機能が発揮される。
また、係止部３０が径方向外側へ変位するためには、被挟圧片３０Ｂが変形しつつ押え部３８と支承突部３２との隙間を通り抜けなければならないが、被挟圧片３０Ｂは雄側ハウジング２０とリテーナ３４との間で径方向に挟み付けられているため、容易に変形できない。したがって、この被挟圧片３０Ｂが径方向外側への変位に抗する引っ掛かりとして作用し、これにより、シールリング２５の抜け方向の変位を防止する機能が発揮される。
【００１６】
このように、本実施形態においては、リテーナ３４の食い込み片３８Ａでシールリング２５の受け部３０Ａを引っ掛けるとともに、被挟圧片３０Ｂを変形しないように径方向に挟圧保持するようにしたから、シールリング２５に抜け方向の引張力が作用しても、雄側ハウジング２０からの抜け動作を確実に防止することができる。
また、受け部３０Ａの基端からは分岐突片３０Ｃを突出させているため、万一、被挟圧片３０Ｂが変形して径方向の挟圧状態から解放され且つ受け部３０Ａが食い込み片３８Ａによる食い込み状態から解放され得る状態になったとしても、フード部２３の内周面と押え部３８の外周面との間では、受け部３０Ａと分岐突片３０Ｃが同時に通過することはできず、これにより引っ掛かり状態が形成される。そして、この引っ掛かり状態により、シールリング２５の抜け方向の変位を防止することができる。
【００１７】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では係止部の径方向の変位を規制する手段として、リテーナに食い込み片を形成するとともに係止部に被挟圧片を形成したが、本発明によれば、食い込み片と被挟圧片のうちいずれか一方だけで係止部の変位規制を行うようにしてもよい。
【００１８】
（２）上記実施形態では係止部の数を２つとしたが、本発明によれば、１片としてもよく、３片以上としてもよく、また、全周に亘って連続的に形成してもよい。
（３）上記実施形態では食い込み片を三角形断面の細長いリブ状としたが、本発明によれば、円錐形や角錐形としてもよい。
（４）上記実施形態では１つの係止部に１つの食い込み片を設けたが、本発明によれば、１つの係止部に複数の食い込み片を設けてもよい。
【図面の簡単な説明】
【図１】実施形態１において雄側ハウジングと雌側ハウジングを離脱した状態を示す斜視図
【図２】雄側ハウジングからシールリンとリテーナを外した状態を示す斜視図
【図３】雄側ハウジングにシールリングを装着した状態を示す水平断面図
【図４】雄側ハウジングにシールリングとリテーナを装着した状態を示す縦断面図
【図５】部分拡大断面図
【図６】従来例の断面図
【符号の説明】
１０…雌側ハウジング（他方のハウジング）
２０…雄側ハウジング（一方のハウジング）
２５…シールリング
３０…係止部
３０Ｂ…被挟圧片
３４…リテーナ
３８Ａ…食い込み片
【図１】
0004010644.tif 000002
【図２】
0004010644.tif 000003
【図３】
0004010644.tif 000004
【図４】
0004010644.tif 000005
【図５】
0004010644.tif 000006
【図６】
0004010644.tif 000007